(57)【要約】【課題】特定のダイエット食品を摂取してダイエットをしようとしているユーザに対して，自己の減量目標と，減量に成功した複数の人間についての成功事例との関係を把握させて，減量目標の妥当性を提供する。【解決手段】ダイエット食品の情報提供装置は，減量データベースと減量目標取得手段と減量比較情報提供手段を備えている。減量データベースは，特定のダイエット食品を摂取して体重の減量に成功した複数の人間についての減量情報を保有する。減量目標取得手段は，上述のダイエット食品を摂取して体重を減量したいユーザの希望する減量目標を取得する。減量比較情報提供手段は，前記減量目標取得手段で取得した減量目標と前記減量データベースが保有する減量情報とを比較した減量比較情報を前記ユーザに提供する。【選択図】図３１
2006301766.tif 000002
【特許請求の範囲】
【請求項１】
次の構成を備える，ダイエット食品の情報提供装置。
（ア）特定のダイエット食品を摂取して体重の減量に成功した複数の人間についての減量情報を保有する減量データベース。
（イ）前記ダイエット食品を摂取して体重を減量したいユーザの希望する減量目標を取得する減量目標取得手段。
（ウ）前記減量目標取得手段で取得した減量目標と前記減量データベースが保有する減量情報とを比較した減量比較情報を前記ユーザに提供する減量比較情報提供手段。
【請求項２】
請求項１に記載の情報提供装置において，さらに次の構成を備えることを特徴とする情報提供装置。
（エ）人間の身体に関する特質と前記ダイエット食品の摂取の可否との関係についての使用可否情報を保有する使用可否データベース。
（オ）前記ユーザの前記特質に関する情報を取得する特質取得手段。
（カ）前記特質取得手段で取得した特質と前記使用可否データベースが保有する使用可否情報とに基づいて前記ダイエット食品の摂取が不可であるか否かを判断し，その判断結果が不可であるときにその旨を前記ユーザに知らせる不可情報提供手段。
【請求項３】
請求項１または２に記載の情報提供装置において，前記減量データベースが保有する減量情報は，減量期間とその期間における体重減少量とからなる減量条件ごとに，１日の朝昼夜の３食の食事のどの組み合わせで前記ダイエット食品を摂取したかという使用パターンと，その使用パターンを用いて減量に成功した人の割合とを含むことを特徴とする情報提供装置。
【請求項４】
次の段階を備える，ダイエット食品の情報提供方法。
（ア）特定のダイエット食品を摂取して体重の減量に成功した複数の人間についての減量情報を保有する減量データベースをサーバ上に準備する段階。
（イ）ユーザの希望する減量目標を入力するための画面情報を前記サーバから通信経路を経由して前記ユーザの端末に送信する段階。
（ウ）前記端末から送信されてきた前記減量目標を前記サーバが取得する段階。
（エ）前記サーバが取得した前記減量目標と前記減量データベースが保有する減量情報とを比較した減量比較情報を表示するための画面データを前記サーバから通信経路を経由して前記端末に送信する段階。
【請求項５】
次の段階を備える，ダイエット食品の情報提供方法。
（ア）人間の身体に関する特質と特定のダイエット食品の摂取の可否との関係についての使用可否情報を保有する使用可否データベースをサーバ上に準備する段階。
（イ）前記ダイエット食品を摂取して体重の減量に成功した複数の人間についての減量情報を保有する減量データベースを前記サーバ上に準備する段階。
（ウ）ユーザの前記特質をユーザが入力するための画面データを前記サーバから通信経路を経由してユーザの端末に送信する段階。
（エ）前記端末から送信されてきた前記特質を前記サーバが取得する段階。
（オ）前記サーバが取得した前記特質と前記使用可否データベースが保有する使用可否情報とに基づいて前記ダイエット食品の摂取が不可であるか否かを判断する使用可否判断段階。
（カ）前記使用可否判断段階において，使用が不可であると判断したときに，その旨を表示するための画面データを前記サーバから通信経路を経由して前記端末に送信する段階。
（キ）前記使用可否判断段階において，使用が可であると判断したときに，ユーザの希望する減量目標をユーザが入力するための画面データを前記サーバから通信経路を経由して前記端末に送信する段階。
（ク）前記端末から送信されてきた前記減量目標を前記サーバが取得する段階。
（ケ）前記サーバが取得した前記減量目標と前記減量データベースが保有する減量情報とを比較した減量比較情報を表示するための画面データを前記サーバから通信経路を経由して前記端末に送信する段階。
【発明の詳細な説明】
【技術分野】
【０００１】
本発明は、インターネット等の通信経路を介してユーザが特定のダイエット食品を注文する際の情報を提供するためのダイエット食品の情報提供装置及び方法に関するものである。
【背景技術】
【０００２】
インターネットを経由してユーザが特定のダイエット食品を購入する方法は次の特許文献１に開示されている。
【特許文献１】特開２００１−３０９７６７号公報
【０００３】
この特許文献１のシステムは，インターネットを経由して特定のダイエット食品をユーザが注文する場合に，ユーザが入力した身長及び体重を基にしてＢＭＩ指数を算出して，そのＢＭＩ指数に基づいて，特定のダイエット食品を用いたダイエットプランを提案している。ダイエットプランでは，目標とするダイエットの期間や，期間中の１週間当たりのカロリー摂取量，そのカロリー摂取量を達成するための１週間の食事メニューの例などが提案される。そして，１週間の食事メニューでは，１週間の朝昼晩３食の合計２１回の食事のうち，どの食事にそのダイエット食品を摂取するかというメニューパターンを複数示すことができて，ユーザは，その中から好みのメニューパターンを選択することができる。
【０００４】
また，インターネットを用いて個人のダイエットを支援するための情報を提供するシステムは，例えば，次の特許文献２に開示されている。
【特許文献２】特開２００１−３３８０７０号公報
【０００５】
この特許文献２のシステムは，個人が入力した身長，体重，既往症（アレルギー，糖尿病，高血圧症など）の有無，目標体重などに基づいて，食事のメニューを提案したり，個人が入力した食事内容に基づいて摂取したカロリーを表示したりすることができる。
【０００６】
さらに，インターネットを用いて他人のダイエット成功例を示すことのできるダイエット支援システムが次の特許文献３に開示されている。
【特許文献３】特開２００２−２３６７５６号公報
【０００７】
この特許文献３のシステムは，ユーザの入力した身長，体重，健康管理データ，目標体重，減量経過情報などに基づいて，ユーザのダイエットの達成度を表示することができる。さらに，複数のユーザのダイエット達成度をデータベースに記録しておき，ダイエットコンテストに参加を希望するユーザの減量データについては，全ユーザの閲覧対象とすることができる。したがって，各ユーザは，他のユーザの減量成功事例を見ることができる。
【発明の開示】
【発明が解決しようとする課題】
【０００８】
上述の特許文献１のシステムが提供するダイエットプランは次の問題がある。このダイエットプランは，特定のダイエット食品を摂取するにあたって，ユーザのＢＭＩ指数に基づいて理想的なダイエットプランを示すことはできるが，そのダイエット食品を実際に摂取した人たちがどのように減量に成功したかを知ることはできない。したがって，自分の減量目標（どれだけの期間でどれだけの減量をしたいかという目標）が，そのダイエット食品を摂取することでどのように達成できるのかが不明である。また，そのダイエット食品が自分の病歴や体調などに適合しているのかどうかも分からない。
【０００９】
上述の特許文献２のダイエット支援システムは次の問題がある。この支援システムは，特定のダイエット食品の摂取に関するものではなくて，ダイエットを希望する人に対して，その個人情報に基づいて，一般的な食事のメニューを提案するものである。したがって，特定のダイエット食品を摂取することでダイエットを達成しようと考えている人にとっては，あまり役に立たない。この特許文献２を従来技術として引用した理由は，健康管理データや既往症（アレルギー，糖尿病，高血圧症など）の有無を考慮して，食事メニューの提案などをしていることにある。すなわち，個人の病気や体調を考慮してダイエット情報を提供すること自体は公知である。
【００１０】
上述の特許文献３のダイエット支援システムは次の問題がある。この支援システムも，特定のダイエット食品の摂取に関するものではない。このシステムは，ダイエットを希望する人に対して，その人のダイエットの進行状況を表示することでダイエットを支援することに主眼がある。したがって，特定のダイエット食品を摂取することによってどのように減量できるかを知りたい人にとっては役に立たない。この特許文献３を従来技術として引用した理由は，インターネットを経由して他人のダイエット達成状況を知ることができるところにある。すなわち，ダイエット支援システムにおいて他人のダイエット達成状況のデータを各ユーザに情報提供すること自体は公知である。
【００１１】
本発明の目的は，特定のダイエット食品を摂取してダイエットをしようとしているユーザに対して，自己の減量目標と，そのダイエット食品を摂取して減量に成功した複数の人間についての成功事例との関係を把握させて，減量目標の妥当性を提供できる情報提供装置及び方法を提供することにある。また，本発明の別の目的は，上述の減量目標の妥当性を提供する前に，ユーザの特質（例えば，食物アレルギーの有無，病気の有無，現在の体調など）がそのダイエット食品を摂取するのに適しているかどうかを判断して，摂取不可の場合にはその結果をユーザに知らせることができるような情報提供装置及び方法を提供することにある。
【課題を解決するための手段】
【００１２】
本発明に係るダイエット食品の情報提供装置は，特定のダイエット食品を摂取して減量することについての情報を提供する装置であり，減量データベースと減量目標取得手段と減量比較情報提供手段を備えている。減量データベースは，特定のダイエット食品を摂取して体重の減量に成功した複数の人間についての減量情報を保有するデータベースである。減量目標取得手段は，上述のダイエット食品を摂取して体重を減量したいユーザの希望する減量目標を取得するものである。減量比較情報提供手段は，前記減量目標取得手段で取得した減量目標と前記減量データベースが保有する減量情報とを比較した減量比較情報を前記ユーザに提供するものである。サーバとユーザ端末との間で情報をやり取りすることを想定すると，減量データベースはサーバに格納されている。減量目標取得手段は，サーバがユーザ端末に減量目標入力画面データを送信する機能と，ユーザ端末から送信されてきた減量目標をサーバが受信する機能を実現する手段に相当する。減量比較情報は，ユーザが入力した減量目標が，これまでの減量成功事例（特定のダイエット食品を摂取して体重の減量に成功した複数の人間についての減量情報）と比較してどの程度のレベルにあるか，という情報であり，減量比較情報提供手段は，この減量比較情報をサーバがユーザ端末に送信する機能を実現する手段に相当する。
【００１３】
上述の情報提供装置は，さらに，使用可否データベースと特質取得手段と不可情報提供手段を備えることができる。使用可否データベースは，人間の身体に関する特質と前記ダイエット食品の摂取の可否との関係についての使用可否情報を保有するデータベースである。人間の身体に関する特質とは，ダイエット食品の摂取の可否を判断するのに参考にすべき特質であり，例えば，ユーザの年令，食物アレルギーの有無，病気の有無や病気の種類，現在の体調などが考えられる。特質取得手段は，ユーザの前記特質に関する情報を取得するものである。不可情報提供手段は，前記特質取得手段で取得した特質と前記使用可否データベースが保有する使用可否情報とに基づいて特定のダイエット食品の摂取が不可であるか否かを判断し，その判断結果が不可であるときにその旨をユーザに知らせるものである。
【００１４】
本発明の情報提供装置は，前記減量データベースが保有する減量情報として，減量期間とその期間における体重減少量とからなる減量条件ごとに，１日の朝昼夜の３食の食事のどの組み合わせで前記ダイエット食品を摂取したかという使用パターンと，その使用パターンを用いて減量に成功した人の割合とを含むことができる。このような減量情報を知ることで，自己が望む減量目標について，購入しようとしているダイエット食品をどのような使用パターンで摂取するのが効果的であるかを，あらかじめ把握することができる。
【００１５】
本発明に係るダイエット食品の情報提供方法は，次の（ア）乃至（エ）の段階を備えている。（ア）特定のダイエット食品を摂取して体重の減量に成功した複数の人間についての減量情報を保有する減量データベースをサーバ上に準備する段階。（イ）ユーザの希望する減量目標を入力するための画面情報を前記サーバから通信経路を経由して前記ユーザの端末に送信する段階。（ウ）前記端末から送信されてきた前記減量目標を前記サーバが取得する段階。（エ）前記サーバが取得した前記減量目標と前記減量データベースが保有する減量情報とを比較した減量比較情報を表示するための画面データを前記サーバから通信経路を経由して前記端末に送信する段階。
【００１６】
また，本発明に係るダイエット食品の情報提供方法の別の形態は，上述の情報提供方法において，さらに使用可否情報に関する段階を加えたものであり，次の（ア）乃至（ケ）の段階を備えている。（ア）人間の身体に関する特質と特定のダイエット食品の摂取の可否との関係についての使用可否情報を保有する使用可否データベースをサーバ上に準備する段階。（イ）前記ダイエット食品を摂取して体重の減量に成功した複数の人間についての減量情報を保有する減量データベースを前記サーバ上に準備する段階。（ウ）ユーザの前記特質をユーザが入力するための画面データを前記サーバから通信経路を経由してユーザの端末に送信する段階。（エ）前記端末から送信されてきた前記特質を前記サーバが取得する段階。（オ）前記サーバが取得した前記特質と前記使用可否データベースが保有する使用可否情報とに基づいて前記ダイエット食品の摂取が不可であるか否かを判断する使用可否判断段階。（カ）前記使用可否判断段階において，使用が不可であると判断したときに，その旨を表示するための画面データを前記サーバから通信経路を経由して前記端末に送信する段階。（キ）前記使用可否判断段階において，使用が可であると判断したときに，ユーザの希望する減量目標をユーザが入力するための画面データを前記サーバから通信経路を経由して前記端末に送信する段階。（ク）前記端末から送信されてきた前記減量目標を前記サーバが取得する段階。（ケ）前記サーバが取得した前記減量目標と前記減量データベースが保有する減量情報とを比較した減量比較情報を表示するための画面データを前記サーバから通信経路を経由して前記端末に送信する段階。
【発明の効果】
【００１７】
本発明によれば，特定のダイエット食品を摂取してダイエットをしようとしているユーザに対して，自己の減量目標と，そのダイエット食品を摂取して減量に成功した複数の人間についての成功事例との関係（減量比較情報）を提供できるので，ユーザは，自己の減量目標の妥当性やその成功の可能性を容易に把握することができる。また，さらに，ユーザの特質がそのダイエット食品の摂取に向いているかどうかについての情報を提供するようにすれば，そのダイエット食品の摂取に向かないユーザがそのダイエット食品を購入してしまう危険をなくすことができる。
【発明を実施するための最良の形態】
【００１８】
以下，図面を参照して本発明の実施例を詳しく説明する。図２９は，本発明の情報提供装置の概念図である。サーバ１０と複数のユーザ端末１２がインターネット１４を介してつながっている。インターネット１４が本発明における通信経路に相当するが，通信経路はインターネット以外の通信手段であっても構わない。サーバ１０は，特定のダイエット食品を販売する会社が保有するものであり，その会社が保有するホームページにおける情報処理を管理している。サーバ１０には減量データベース１６と使用可否データベース１８が格納されている。減量データベース１６は，特定のダイエット食品を摂取して体重の減量に成功した複数の人間についての減量情報を保有しているデータベースである。そのデータ内容については後述する。使用可否データベース１８は，人間の身体に関する特質（例えば，食物アレルギーの有無，病気の有無，現在の体調など）と特定のダイエット食品の摂取の可否との関係についての情報を保有するデータベースである。そのデータ内容も後述する。ユーザ端末１２は，典型的には，ユーザの所有するパソコンや携帯電話であるが，インターネットに接続できてサーバとの間で情報をやり取りできるものであれば何でも良い。
【００１９】
この実施例で想定している特定のダイエット食品は次のようなものである。このダイエット食品は，大豆タンパクをベースに，糖質，食物繊維，アミノ酸，ビタミン，ミネラルを含有した食事代替型のダイエット食品である。１食あたりのカロリーは約１７０ｋｃａｌである。カロリーは低いが栄養バランスに優れていて，１日３食のうち，１食または２食をこのダイエット食品で代替することで，ダイエットを達成するようになっている。例えば，ドリンクミックスタイプとスープミックスタイプがある。ドリンクミックスタイプは７種類の味が各２食ずつ１４食入りとなっている。スープミックスタイプは４種類の味の合計で１４食入りとなっている。ココア，コーヒーなどの異なる味を用意することで，ダイエット食品の摂取が単調にならないようにしている。味の種類の組み合わせは，上述のものに限らず，いろいろなものが考えられる。
【００２０】
図１〜図８及び図３３は特定のダイエット食品の注文の処理の流れを示すフローチャートである。この注文処理の流れの中に，本発明に係るダイエット食品の情報提供方法が組み込まれている。図９〜図２２，図２８，図３４及び図３５は，この処理の流れで生じるユーザ端末の画面例である。図２３，図２４及び図３２はサーバ中の使用可否データベースの内容の一部である。以下，これらの図を参照しながら，順を追って処理の流れを説明する。
【００２１】
図１はダイエット食品の注文の全体の処理の流れを示すフローチャートである。ユーザが，ユーザ端末において，インターネット上のダイエット食品注文に関するホームページにアクセスすることで，この注文処理が開始する。ユーザは，まず，ユーザ端末上で個人登録をする。図９（Ａ）はユーザ端末に表示される個人登録画面である（以下の説明において，「画面」は，すべてユーザ端末に表示される画面である）。この個人登録画面でユーザは所定の項目を入力する。入力項目は必須入力項目と任意入力項目に分かれている。必須入力項目は，身長，体重，年令，性別である。任意入力項目は，バスト，ウェスト，ヒップ，体脂肪である。少なくとも必須入力項目を入力して，「次へ」のボタンをクリックすると，図９（Ｂ）の目的選択画面が現れる。この目的選択画面で，ユーザは，ダイエット食品を注文する目的が，ダイエットであるのか，栄養補給であるのかを選択する。ダイエットを選択すると，ダイエットメニューの流れになり，栄養補給にすると栄養補給メニューの流れになる。
【００２２】
「ダイエット」を選択して，「次へ」をクリックすると，図１０（Ａ）の年令選択画面になる。これをフローチャートで説明すると，図１のフローチャートにおいて「目的選択」から「ダイエット」のサブルーチンに進み，図２のフローチャートに移る。
【００２３】
図２は，ダイエットメニューの処理の流れのうち，健康状態の選択までを示している。ダイエットメニューの最初の処理が，年令選択である。図１０（Ａ）がその年令選択の画面である。ユーザは，「１７才以下」「１７−６９才」「７０−７４才」「７５才以上」のいずれかを選択する。その選択に応じて，図２のフローチャートに示すように，「使用不可」「医師相談」「使用不可」「ＢＭＩ判定」のいずれかに移行する。
【００２４】
使用不可の場合は，図１１（Ａ）の使用不可画面が現れる。この使用不可画面の記載内容は，使用不可であると判断された理由によって異なるようになっている。「１７才以下」という理由で使用不可になった場合は，第１段落の「○○○の方」のところが「１７才以下の方」となる。そして，第２段落は「この時期は成長盛りですので，食事量をコントロールしたり，運動したりして減量することをお勧めします。」となる。第３段落の「こちら」をクリックすると，図１２のアドバイス画面となる。このアドバイス画面の問い合わせ先に電話をかけることで，アドバイスを受けることができる。
【００２５】
図２のフローチャートの年令選択のところで「７０−７４才」を選択して「医師相談」になると，図１１（Ｂ）の医師相談画面が現れる。７０−７４才と高齢の場合は，このダイエット食品を摂取する前に医師と相談することを勧めている。
【００２６】
図２のフローチャートの年令選択のところで「７５才以上」を選択して「使用不可」になると，図１１（Ａ）の使用不可画面が現れる。７５才以上で使用不可になった場合は，第１段落の「○○○の方」のところが「７５才以上の方」となる。そして，第２段落は「これは食品ですが，１食あたり約１７０ｋｃａｌと低カロリーのため，お体にご負担がかからないよう，年令制限を設けております。」となる。
【００２７】
図２のフローチャートの年令選択のところで「１８−６９才」を選択すると，ＢＭＩ指数の判定に進む。ＢＭＩ指数は，ボディ・マス・インデックスの略で，体重（ｋｇ）を身長（ｍ）の２乗で割った数値である。ＢＭＩ指数の値は，２２が推奨されており，１８．５を下回ると「やせ」と判定される。図９（Ａ）の個人登録画面で入力された身長と体重に基づいて，サーバはＢＭＩ指数を算出し，その数値が１８．５を下回ると「アドバイス」に移行する。この場合，すでに「やせ」の状態にあって，ダイエットするには好ましくないと考えられるので，アドバイスが必要であると判断している。図１２はアドバイスの画面である。
【００２８】
図２のフローチャートのＢＭＩ数値の判定のところで１８．５以上のときは，健康状態の選択に進む。図１０（Ｂ）は健康状態の選択の画面である。ユーザは「持病がある」「通院中である」「１年以内に入院したがことある」「アレルギーがある」「健康診断で異常値を指摘されている」「該当なし」のいずれかを選択する。「持病がある」「通院中である」「１年以内に入院したがことある」のいずれかを選択して「次へ」をクリックすると，図１４（Ａ）の病気の種類の選択の画面が現れる。これをフローチャートで説明すると，「持病がある」「通院中である」「１年以内に入院したがことある」のいずれもが図２のフローチャートの健康状態の選択のところでは「病気」となり，結合子Ｂ１を介して，図３のフローチャートの病気の種類の選択に移行する。
【００２９】
図１０（Ｂ）の画面で「アレルギーがある」を選択して「次へ」をクリックすると，図１４（Ｂ）のアレルゲンの選択の画面が現れる。これをフローチャートで説明すると，図２の健康状態の選択のところで「アレルギーがある」となり，結合子Ｄ１を介して，図３のフローチャートのアレルゲンの選択に移行する。
【００３０】
図１０（Ｂ）の画面で「健康状態で異常値を指摘されている」を選択して「次へ」をクリックすると，図１６（Ｂ）の健康診断異常値の選択の画面が現れる。これをフローチャートで説明すると，図２の健康状態の選択のところで「健康診断で異常値」となり，結合子Ｅを介して，図４のフローチャートの異常の種類の選択に移行する。
【００３１】
図１０（Ｂ）の画面で「該当なし」を選択して「次へ」をクリックすると，図９（Ａ）の個人登録画面で選択した性別に応じて，男性ならば，図１９の減量目標の入力画面が現れる。女性ならば，図１８（Ｂ）の女性の身体状態の選択の画面が現れる。これをフローチャートで説明すると，図２の健康状態の選択のところで「該当なし」となり，結合子Ｆ１を介して，図５のフローチャートの性別の判定に移行する。そして，男性ならば，結合子Ｊを介して，図６のフローチャートの減量目標の入力に進む。女性ならば，図５において身体状態の選択に進む。
【００３２】
ここで，図３のフローチャートの病気の種類の選択のところに戻って説明を続ける。図１４（Ａ）の病気の種類の選択の画面において，ユーザは，該当する病気の種類を選択する。ここでは，「バセイドウ氏病」「躁うつ病」「ＰＴＳＤ（心的外傷性ストレス障害」「更年期障害」「脂肪肝（治療中）」「脂肪肝（治療不必要と医師に言われている）」「虫歯」「水虫（白癬）」「その他」の選択肢を示している。実際は，もっと多数の病名を列挙することも考えられる。「バセイドウ氏病」「躁うつ病」「ＰＴＳＤ（心的外傷性ストレス障害」「脂肪肝（治療中）」のいずれかを選択した場合は図１１（Ａ）の使用不可の画面に移行する。「更年期障害」「脂肪肝（治療不必要と医師に言われている）」のいずれかを選択した場合は図１１（Ｂ）の医師相談の画面に移行する。「虫歯」を選択した場合は，図１３（Ａ）の但し書き表示画面（虫歯）に移行する。但し書き表示画面では，ユーザが注意事項を確認した上で，「次へ」をクリックすると，図５のフローチャートの性別判定に進むことができる。「水虫（白癬）」を選択した場合は，図１３（Ｂ）の但し書き表示画面（水虫）に移行する。同様に，注意事項を確認した上で，図５のフローチャートの性別判定に進むことができる。図１４（Ａ）の「その他」を選択した場合は，図１２のアドバイス画面に移行する。その他の病気の場合は，その病気の種類に応じて適切なアドバイスを受けるために，問い合わせができるようにしている。
【００３３】
以上のような病気の種類の選択とそれに応じた処理（使用不可，医師相談，アドバイスなど）との関係は，サーバの使用可否データベースの中に記憶されている。その記憶内容は，図２３の「病気の種類の選択結果（ダイエット時）」の一覧表に示されている。この記憶内容に基づいて選択結果に応じた処理が実行されている。
【００３４】
上述の病気の種類の選択の処理をフローチャートで説明すると，次のようになる。図３のフローチャートの病気の種類の選択のところで，「バセイドウ氏病」「躁うつ病」「ＰＴＳＤ（心的外傷性ストレス障害」「脂肪肝（治療中）」のいずれかを選択した場合には「使用不可の病気」となる。「更年期障害」「脂肪肝（治療不必要と医師に言われている）」のいずれかを選択した場合は「医師相談」になる。「虫歯」「水虫（白癬）」のいずれかを選択した場合は「但し書きを要する病気」となり，但し書きを表示したあとに，結合子Ｆ１を介して，図５のフローチャートの性別の判定に移行する。
【００３５】
次に，図３のフローチャートのアレルゲンの選択のところに戻って説明を続ける。図１４（Ｂ）のアレルゲンの選択の画面において，ユーザは，食物アレルギーの原因物質（アレルゲン）を選択する。選択肢は「酵母」「大豆」「牛乳」「小麦」「落花生」「卵」「鶏肉」「チョコレート」「コーヒー」「りんご」「バナナ」「チーズ」「たまねぎ」「カフェイン」「アルパルテーム」「その他」である。ここに示す選択肢は，この注文処理の中で購入できるダイエット食品に含まれている素材を考慮して列挙している。「酵母」「大豆」のいずれかを選択した場合は，図１１（Ａ）の使用不可の画面が現れる。この場合，第１段落の「○○○の方」のところは「酵母または大豆のアレルギーがある方」となり，第２段落は「この商品は，大豆タンパク，酵母を使用しております。そのため，まことに申し訳ございませんが，そのアレルギーのある方はご使用いただけません。」となる。「牛乳」を選択した場合は，図１５（Ｂ）の使用注意画面が現れる。この画面で，ユーザは，ケーキ，ヨーグルト，アイスクリームなどの乳製品でもアレルギー反応があるか否かを選択し，アレルギー反応がある場合は，図１６（Ａ）の乳アレルギー注意促進画面が現れる。この注意促進画面で「サンプルを試したい」を選択すると，サンプル購入の画面（図示せず）が現れる。注意促進画面で「相談したい」を選択すると，図１２のアドバイス画面が現れる。
【００３６】
図１４（Ｂ）のアレルゲンの選択の画面で「小麦」「落花生」「卵」「鶏肉」「チョコレート」「コーヒー」「りんご」「バナナ」「チーズ」「たまねぎ」「カフェイン」「アスパルテーム」のいずれかを選択すると，図１５（Ａ）の使用制限の画面が現れる。この場合，ダイエット食品の種類（味付け）によって，それに含まれる素材が異なるので，選択したアレルゲンの種類に応じて特定の味付けのものは利用できないことが表示される。使用制限画面で「はい」を選択すると（使用制限を了解すると），図５のフローチャートの性別判定に進む。「いいえ」を選択すると（使用制限を了解しない），図１１（Ａ）の使用不可の画面が現れる。「相談したい」を選択すると，図１２のアドバイス画面が現れる。図１４（Ｂ）のアレルゲンの選択の画面で「その他」を選択すると，図１２のアドバイス画面が現れる。
【００３７】
以上のようなアレルゲンの選択とそれに応じた処理との関係も，サーバの使用可否データベースの中に記憶されていて，その記憶内容が，図２３の「アレルゲンの選択結果」の一覧表に示されている。この記憶内容に基づいて選択結果に応じた処理が実行されている。
【００３８】
上述のアレルゲンの選択の処理をフローチャートで説明すると，次のようになる。図３のフローチャートのアレルゲンの選択のところで，「酵母」「大豆」のいずれかを選択した場合は「使用不可のアレルゲン」となる。「その他」を選択すると「アドバイスを要するアレルゲン」となる。「牛乳」を選択すると「使用注意のアレルゲン」となり，結合子Ｇ１を介して，図４のフローチャートの注意促進の選択に移行する。そして，サンプルを試したい場合は「サンプル購入」となり，相談をしたい人は「アドバイス」になる。図３のアレルゲンの選択のところで，「小麦」「落花生」「卵」「鶏肉」「チョコレート」「コーヒー」「りんご」「バナナ」「チーズ」「たまねぎ」「カフェイン」「アスパルテーム」のいずれかを選択した場合は，結合子Ｈ１を介して，図５のフローチャートの使用制限の選択に移行する。そして，使用制限を了解しない人は「使用不可」となり，相談をしたい人は「アドバイス」となり，使用制限を了解した人は，結合子Ｆ１を介して，図５のフローチャートの性別の判定に移行する。
【００３９】
次に，図４のフローチャートの異常の種類の選択のところに戻って説明を続ける。図１６（Ｂ）の健康診断異常値の選択画面において，ユーザは，健康診断で異常値と判断されたものを選択する。選択肢は「血圧」「コレステロール」「血糖値」「その他」である。「血圧」を選択して「次へ」をクリックすると，図１７（Ａ）の血圧選択画面が現れる。ここでは，「低血圧である」か「高血圧である」かを選択し，「低血圧である」の場合は，さらに，「治療中である」か「治療中でない」かを選択する。「低血圧である」の「治療中である」を選択した場合は，図１１（Ｂ）の医師相談画面が現れる。「低血圧である」の「治療中でない」を選択した場合は，使用可であり，男性ならば，図１９（Ａ）の減量目標の入力画面が現れる。女性ならば，図１８（Ｂ）の女性の身体状態の選択の画面が現れる。「高血圧である」を選択した場合は，図１１（Ｂ）の医師相談画面が現れる。
【００４０】
図１６（Ｂ）の健康診断異常値の選択画面において「コレステロール」を選択した場合は，図１７（Ｂ）のコレステロール選択画面が現れる。ここでの選択肢は「コレステロール値が高い」「高脂血症である」「コレステロール値が高く合併症がある」「高脂血症で合併症がある」「その他」である。「コレステロール値が高い」「高脂血症である」のいずれかを選択した場合は，使用可であり，男性ならば，図１９の減量目標の入力画面が現れる。女性ならば，図１８（Ｂ）の女性の身体状態の選択の画面が現れる。「コレステロール値が高く合併症がある」「高脂血症で合併症がある」のいずれかを選択した場合は，図１１（Ｂ）の医師相談画面が現れる。「その他」を選択した場合は，図１２のアドバイス画面に移行する。
【００４１】
図１６（Ｂ）の健康診断異常値の選択画面において「血糖値」を選択した場合は，図１８（Ａ）の血糖値の選択画面が現れる。ここでの選択肢は「糖尿病でインシュリンを使用中」「糖尿病でインシュリンを使用せずに治療中」「糖尿病治療中で減量が必要と言われている」「その他」である。「糖尿病でインシュリンを使用中」を選択した場合は，使用不可であり，図１１（Ａ）の使用不可の画面に移行する。「糖尿病でインシュリンを使用せずに治療中」を選択した場合は，図１１（Ｂ）の医師相談の画面に移行する。「糖尿病治療中で減量が必要と言われている」を選択した場合は，使用可であり，男性ならば，図１９の減量目標の入力画面が現れる。女性ならば，図１８（Ｂ）の女性の身体状態の選択の画面が現れる。「その他」を選択した場合は，図１２のアドバイス画面に移行する。
【００４２】
以上のような血圧選択，コレステロール選択，血糖値選択の結果とそれに応じた処理との関係も，サーバの使用可否データベースの中に記憶されていて，その記憶内容が，図２４の「血圧選択結果」「コレステロール選択結果」「血糖値選択結果」の各一覧表に示されている。この記憶内容に基づいて選択結果に応じた処理が実行されている。
【００４３】
図１６（Ｂ）の健康診断異常値の選択画面において「その他」を選択した場合は，図１２のアドバイス画面に移行する。
【００４４】
上述の健康診断異常値の選択の処理をフローチャートで説明すると，次のようになる。図４のフローチャートの異常種類の選択のところで，血糖値の異常のうち，「糖尿病でインシュリンを使用中」を選択すると，「使用不可の異常」となる。血圧の異常のうち，「低血圧である」の「治療中である」の場合と，「高血圧である」の場合と，コレステロールの異常のうち，「コレステロール値が高く合併症がある」と「高脂血症で合併症がある」のいずれかである場合と，血糖値の異常のうち，「糖尿病でインシュリンを使用せずに治療中」の場合には，「医師相談を要する異常」となる。コレステロールの異常のうちの「その他」の場合と，血糖値の異常のうちの「その他」の場合には，「アドバイスを要する異常」となる。そして，血圧の異常のうち，「低血圧である」の「治療中でない」の場合と，コレステロールの異常のうち，「コレステロール値が高い」と「高脂血症である」のいずれかである場合と，血糖値の異常のうち，「糖尿病治療中で減量が必要と言われている」の場合は，「使用可の異常」となり，結合子Ｆ１を介して，図５のフローチャートの性別の判定に移行する。
【００４５】
次に，図５のフローチャートの身体状態の選択を説明する。図１８（Ｂ）の女性の身体状態の選択の画面において，女性ユーザは身体状態を選択する。選択肢は「妊娠中である」「授乳中である（生理が回復していない）」「授乳中である（生理が回復している）」「流産後である」「排卵誘発剤使用中である」「その他，平常時の体調と異なる」「体調に問題がない」である。「妊娠中である」と「授乳中である（生理が回復していない）」のいずれかを選択した場合は，使用不可であり，図１１（Ａ）の使用不可の画面が現れる。「流産後である」と「排卵誘発剤使用中である」のいずれかを選択した場合は，図１１（Ｂ）の医師相談の画面に移行する。「その他，平常時の体調と異なる」を選択した場合は，図１２のアドバイス画面に移行する。「授乳中である（生理が回復している）」と「体調に問題がない」のいずれかを選択した場合は，使用可であり，図１９の減量目標の入力画面が現れる。
【００４６】
以上のような身体状態の選択とそれに応じた処理との関係も，サーバの使用可否データベースの中に記憶されていて，その記憶内容が，図２４の「女性の身体状態選択結果」の一覧表に示されている。この記憶内容に基づいて選択結果に応じた処理が実行されている。
【００４７】
上述の身体状態の選択の処理をフローチャートで説明すると，次のようになる。図５のフローチャートの身体状態の選択のところで，「妊娠中である」と「授乳中である（生理が回復していない）」のいずれかを選択した場合は「使用不可の身体状態」となる。「流産後である」と「排卵誘発剤使用中である」のいずれかを選択した場合は「医師相談を要する身体状態」となる。「その他，平常時の体調と異なる」を選択した場合は「アドバイスを要する身体状態」となる。「授乳中である（生理が回復している）」と「体調に問題がない」のいずれかを選択した場合は「使用可の身体状態」となり，結合子Ｊを介して，図６のフローチャートの減量目標の入力に進む。
【００４８】
次に，減量目標の入力以降の処理を説明する。図１９は減量目標の入力の画面である。ユーザは，目標とする減量の数値（体重の減少量）と，その減量に要する期間を入力する。「次へ」をクリックすると，図２８（Ａ）に示すように，減量目標と成功事例の比較（１）の画面が現れる。この画面に表示されるグラフを図２６に拡大して示す。このグラフは，この注文処理の対象としているダイエット食品を摂取した多くの人の減量の成功事例を示している。横軸は減量期間を月の単位で示しており，縦軸は減量した数値を示している。ひとつの丸印が一人の成功事例である。減量期間が長くて減量が小さければ，それだけ減量は成功しやすくなり，そのような成功しやすい減量条件を「可能性が高い」と表示している。また，減量成功の程度が中程度の減量条件を「可能性が中程度」と表示している。減量期間が短くて減量が大きい場合は，減量を成功するのが難しくなり，そのような減量条件を「可能性が低い」と表示している。「可能性が低い」とされた減量条件の範囲では，実際に，成功事例がほとんど見当たらない。
【００４９】
このような成功事例のグラフ中に，ユーザが入力した減量目標を，星印で目立つように表示している。このグラフを見ることで，自分が入力した減量目標が，成功しやすいものか否か，そして，多くの成功事例の減量条件の中のどの程度のところに位置しているかが容易に把握できる。例えば，図２６のグラフに示されているような星印の減量目標であれば，「可能性が高い」減量条件の中にあって，多くの成功事例と比較しても，無理なく減量できることが理解できる。
【００５０】
図２８（Ａ）の画面で「次へ」をクリックすると，図２８（Ｂ）に示すように，減量目標と成功事例の比較（２）の画面が現れる。この画面に表示されるグラフを図２７に拡大して示す。このグラフは，減量期間を問わずに，減量数値に応じた，減量成功の達成割合を示したものである。例えば，減量に成功したすべての人のうち，１０ｋｇ以上の減量に成功した人の割合が４０％である場合には，横軸に１０ｋｇをとり，縦軸に４０％をとる。そのようにして，減量数値ごとの達成割合を求めて，それを結んだ曲線が，減量達成曲線である。そして，この減量達成曲線の上に，ユーザが入力した減量目標を重ね合わせて表示している。減量目標が７ｋｇであると仮定すると，７ｋｇのところに矢印が表示され，その減量目標に該当する達成割合であるところの７０％が表示される。このグラフから，ユーザは，自分の入力した減量目標が，過去の減量成功者のうちの７０％の達成割合のところにあることが分かる。これにより，このダイエット食品を用いて自分が希望する減量目標を達成するのは，それほど無理でないことが分かる。
【００５１】
図２８（Ｂ）の画面で「次へ」をクリックすると，図３５（Ａ）に示すような，減量目標に対する使用パターンの画面が現れる。ここに示した表は，次のように解釈する。左側の朝・昼・夜の列は，ダイエット食品の使用パターンを表している。朝の列に○印が付いているのは，朝食としてダイエット食品だけを摂取することを意味する。同様に，昼の列に○印が付いているのは昼食として，また，夜の列に○印が付いているのは夕食として，ダイエット食品だけを摂取することを意味する。そして，朝・昼・夜の３食の組み合わせを，ダイエット食品の１日の使用パターンとしている。１行目の使用パターンは，昼と夜の２食をダイエット食品にするパターンである。２行目は朝と夜，３行目は朝と昼のパターンである。４行目は夜だけ，５行目は昼だけ，６行目は朝だけの使用パターンである。１日３食のうちの１食か２食をダイエット食品にする場合は，この６種類の使用パターンのいずれかになる。
【００５２】
右側の二つの列は，減量が成功したときにおける，ダイエット食品の使用パターンの割合を示している。使用パターンの割合を表示した列のうち，左側の列が，ユーザが入力した減量目標についての使用パターンの割合である。この例では，「４週間で５ｋｇ減量」がユーザが入力した減量目標である。そして，その列の各行の百分率の意味は次のとおりである。４週間で５ｋｇの減量ができた人のうち，左側の使用パターンのどのパターンを利用した人が何％いるか，という割合である。４週間で５ｋｇの減量に成功した人のうちの４０％は，昼と夜の２食のパターンを利用しており，残りの６０％は朝と夜の２食のパターンを利用している。その右側の列は参考例である。入力した減量目標が成功者の多いものである場合には，このように，別の減量目標を参考例として示すことができる。この参考例は「８週間で５ｋｇ減量」の例である。「８週間で５ｋｇ減量」に成功した人のうちの４０％が昼と夜の２食のパターンであり，４０％が朝と夜の２食のパターン，２０％が夜の１食のパターンである。同じ５ｋｇの減量でも，期間が長い方が，１日に１回，夜に摂取するだけでも，減量に成功することが分かる。すなわち，緩やかな使用パターンでも減量の成功の可能性が高いことが分かる。
【００５３】
この一覧表から，夜にダイエット食品を摂取することが効果的であることが分かり，夜を含めた２食，または夜１食だけの使用パターンによって，多くの人がダイエットに成功していることが分かる。このように，減量に成功できた使用パターンを知ることにより，購入しようとしているダイエット食品について，どのような使用パターンで摂取するのが効果的であるかを，ユーザはあらかじめ把握することができる。
【００５４】
図３５（Ｂ）は，減量目標として「１２週間で１１ｋｇ減量」をユーザが入力した場合の使用パターン例である。「１２週間で１１ｋｇ減量」に成功した人のうち，１４％が昼と夜の２食のパターンであり，２９％が朝と夜の２食のパターン，４３％が夜の１食のパターン，１４％が朝の１食のパターンである。このように時間をかけてダイエットをする場合は，夜を含めた２食，または夜を含めた１食のほかに，朝１食だけでも減量に成功する可能性があることが分かる。
【００５５】
図２８の（Ａ）と（Ｂ）のグラフ，及び，図３５の使用パターンを見ることで，ユーザは，自分が入力した減量目標について，その成功の可能性，効果的な摂取方法などを把握することができたので，必要に応じて，減量目標の見直しをすることができる。入力した減量目標を変更した方が良いと判断したら，図３５の（Ａ）または（Ｂ）の画面で，「減量目標を入力しなおしますか？」の質問に「はい」のボタンをクリックする。その場合は，図１９の減量目標入力画面に戻る。「いいえ」をクリックすると，図２０（Ａ）のライフスタイルの申告の画面に移る。
【００５６】
図２８の（Ａ）と（Ｂ）のグラフ，及び，図３５の使用パターンで表示される多数の人間の成功事例（減量情報）は，多数の減量モニターが提供したものを集めたものである。そのようなデータ収集は，例えば，減量が成功したときの減量期間とその期間の体重減少量のデータを販売会社に提供すること（及びそのデータをモニターの氏名等を伏せて販売会社が公開することがあること）を条件に，販売会社がモニターにダイエット食品を無料で提供する，などの方法で実現することができる。そして，そのようなデータ収集は，本発明の情報提供装置の付属機能として，減量成功後の成功事例を入力する画面を用意することで実現することもできる。
【００５７】
以上の減量目標の入力の処理をフローチャートで説明すると，次のようになる。図６のフローチャートにおいて，減量目標の入力のあとに成功例の表示（減量比較情報の表示）となり，ユーザがやり直しを選択したときは減量目標の入力に戻る。やり直しを選択しないときは「申告選択」に進む。
【００５８】
次に，申告選択以降の処理を説明する。まず，図２０（Ａ）のライフスタイルの申告選択の画面で，食生活を中心としたライフスタイルの申告をすることについての選択を促している。ダイエットが成功するかどうかは，ダイエット食品の摂取もさることながら，食生活を中心としたライフスタイルを改善することが大切であるからである。この画面の選択肢は「アンケート画面に進む」「ここで終了する」「問い合わせをする」の三つである。「アンケート画面に進む」を選択した場合は，図２０（Ｂ）の食生活の申告（１）の画面が現れる。「ここで終了する」を選択した場合は，全体の処理の流れが終了する。すなわち，ライフスタイルの改善提案は示されないし，ダイエット食品の注文にも至らない。「問い合わせをする」を選択した場合は，図１２のアドバイス画面が現れる。
【００５９】
上述の申告選択の処理をフローチャートで説明すると，次のようになる。図６のフローチャートの「申告選択」において，申告を選択した人は「ライフスタイルの申告」に進み，選択しなかった人は「終了」となり，問い合わせを選択した人は「アドバイス」になる。
【００６０】
図２０（Ｂ）の食生活の申告（１）の画面では，ユーザの食事の摂取状況について，１週間中の該当回数を回答する。食事の摂取状況は５種類あり，「自分の分だけ作って食べる」「家族の分も作る→大人の分だけ作る」「家族の分も作る→大人と子供（１２才以下）の分を作る」「コンビニやお弁当屋の弁当」「外食」である。それぞれ，１週間の食事の何回がそれに該当するかを入力する。「次へ」をクリックすると，図２１（Ａ）の食生活の申告（２）の画面が現れる。この画面では，食事の摂取パターンを回答する。摂取パターンには５種類あり，「朝食抜き」「昼食抜き」「夕食抜き」「夜食をとる」「間食をとる」である。それぞれ，１週間に何回，そのようなパターンになったかをを入力する。「次へ」をクリックすると，図２１（Ｂ）のその他の申告の画面が現れる。この画面では次の５種類の項目をチェックできる。「ダイエットを繰り返している」「思春期前に太ってしまった」「ホルモン剤（ピル，甲状腺，副腎皮質）を使っている」「運動不足である」「親族に太っている人が多い」である。該当項目がない場合には，何もチェックしなくてもよい。「次へ」をクリックすると，図２２（Ａ）の判定結果表示画面が現れる。この判定結果表示画面を表示するときに，サーバ側では，これまでの申告に基づいて，所定のポイント計算をしている。
【００６１】
図２５はポイント計算を説明する一覧表である。図２０（Ｂ）の食生活の申告（１）と，図２１（Ａ）の食生活の申告（２）と，図２１（Ｂ）のその他の申告のそれぞれについて，入力した回数あるいはチェックしたポイントに応じて，図２５に示すようなポイント計算をしている。例えば，食生活の申告（１）において，「自分の分だけ作って食べる」が１週間に１４回で，「外食」が１週間に７回のときは，食生活の申告（１）のポイントは，（ア）＝１４×３＋７×４＝７０点である。食生活の申告（２）において，「夜食をとる」が２回，「間食をとる」が２回のときは，（イ）＝２×２＋２×３＝１０点である。その他の申告において，「運動不足である」にチェックしたときは，（ウ）＝２点である。合計点は（ア）＋（イ）＋（ウ）＝９２点である。
【００６２】
この場合，図２２（Ａ）において，（５１−１００点）の段落が強調表示される。もし，５０点以下であれば，（０−５０点）の段落が強調表示され，１０１点以上であれば，（１０１点以上）の段落が強調表示される。そして，各段落では，その人のライフスタイルに対するコメントが表示される。「次へ」をクリックすると，図２２（Ｂ）の注文画面が表示される。この注文画面では，製品Ａの個数と製品Ｂの個数を入力すると，合計金額が自動的に表示される。「アドバイスは必要ですか？」の質問に「いいえ」をチェックしてから「注文送信」をクリックすると，注文が完了して，注文の処理の流れが終了する。「アドバイスは必要ですか？」の質問に「はい」をチェックしてから「注文送信」をクリックすると，注文が完了するとともに，図１２のアドバイス画面が現れる。「キャンセル」をクリックすると，注文をキャンセルして，注文の処理の流れが終わる。
【００６３】
以上のライフスタイルの申告の処理以降の流れをフローチャートで説明すると，次のようになる。図６のフローチャートにおいて，「ライフスタイルの申告」から「ポイント計算」「判定結果表示」となり，そこから「リターン」となって，ダイエットメニューのサブルーチンを抜けて，図１の「注文画面表示」に進む。そして，「注文画面表示」「注文データ入力」と処理が進む。「注文選択」において「キャンセル」ならば注文を実行せずに処理が終了する。「注文送信」ならば注文を実行し，アドバイスが必要な人はアドバイスを実行してから処理が終了し，アドバイスを希望しなければ，そのまま処理が終了する。
【００６４】
次に，図１のフローチャートの目的選択において，ダイエットメニューではなくて，栄養補給メニューを選択した場合の処理の流れを説明する。栄養補給メニューを選択すると，図７の栄養補給メニューのサブルーチンが開始する。まず，「年令」の選択があり，「１７才以下」と「７５才以上」は使用不可となる。「７０−７４才」を選択した場合は，健康状態の選択に進む。現在病気にかかっている場合は「医師相談」となる。「アレルギーがある」を選択すると，結合子Ｄ２を介して，図３３のフローチャートのアレルゲンの選択に移行する。「該当なし」の場合は，図３４に示すような確認画面を表示してから，「リターン」となって，栄養補給メニューのサブルーチンを抜けて，図１の「注文画面表示」に進む。
【００６５】
図７において，「１８−６９才」を選択した場合も，健康状態の選択に進む。現在病気にかかっている場合は，結合子Ｂ２を介して，図８のフローチャートの「病気種類」の選択に進む。「アレルギーがある」を選択すると，結合子Ｄ２を介して，図３３のフローチャートのアレルゲンの選択に移行する。「該当なし」の場合は，結合子Ｆ２を介して，図８のフローチャートの「性別」による分岐に進む。
【００６６】
図８のフローチャートにおいて，「病気種類」の選択では，「使用不可の病気」「但し書きを要する病気」「使用可の病気」に分岐する。図３２は「病気の種類の選択結果（栄養補給選択時）」の一覧表を示す。図２３の「病気の種類の選択結果（ダイエット選択時）」とは一部異なる部分がある。異なっている部分は次の通りである。「更年期障害」については，ダイエット選択時は「医師相談」であるが，栄養補給選択時は「使用可」である。「脂肪肝（治療不必要と医師に言われている）」については，ダイエット選択時は「医師相談」であるが，栄養補給選択時は「使用不可」である。
【００６７】
図８のフローチャートにおいて，「但し書きを要する病気」については「但し書き表示」をしてから，そして，「使用可の病気」はすぐに，結合子Ｆ２を介して，「性別」の判定に進む。そして，男性ならば図３４に示すような確認画面を表示してから，「リターン」となり，図１のフローチャートの「注文画面表示」に進む。女性ならば「身体状態の選択」に進む。身体状態の選択は，ダイエット選択時と同様であり，図５のフローチャートで説明したものと同じである。そして，「使用可の身体状態」のときは図３４に示すような確認画面を表示してから，「リターン」となり，図１のフローチャートの「注文画面表示」に進む。
【００６８】
図３３のフローチャートのアレルゲンの選択では，基本的に，図３のフローチャートのアレルゲンの選択と同じ処理を実行する。図３のフローチャートのアレルゲン選択以降の処理では，結合子Ｈ１，Ｆ１，Ｊを経て，減量目標に関連する処理が終了してからリターンとなって図１の「注文画面表示」に進むが，図３３のフローチャートのアレルゲン選択以降の処理では，結合子Ｈ２，Ｆ２を経て，リターンとなって図１の「注文画面表示」に進む。
【００６９】
図３０は，ダイエット選択時について，ダイエット食品の使用が不可になるときの，サーバとユーザ端末の間の情報のやり取りを概念的に示している。サーバから「特質入力の画面データ」がユーザ端末に送信される。「特質入力の画面データ」とは，ユーザの特質の入力を促すさまざまな画面データであり，例えば，図９（Ａ）の個人登録画面，図１０（Ａ）の年令選択画面，図１０（Ｂ）の健康状態の選択の画面，図１４（Ａ）の病気の種類の選択の画面，図１４（Ｂ）のアレルゲンの選択の画面，図１６（Ｂ）の健康診断異常値の選択の画面，図１７（Ａ）の血圧選択の画面，図１７（Ｂ）のコレステロール選択の画面，図１８（Ａ）の血糖値の選択の画面，図１８（Ｂ）の女性の身体状態の選択の画面，の各画面データである。これらの画面において，ユーザが入力または選択した情報（ユーザの特質）は，図３０に示すように，ユーザ端末からサーバに送信される。サーバでは，これらのユーザの特質に応じてさまざまな判断や処理を実行するが，そのうち，サーバに格納されている使用可否データベースに基づいてダイエット食品の使用が不可であると判断した場合は，「使用不可の画面データ」，すなわち図１１（Ａ）の使用不可画面のデータ，をユーザ端末に送信する。
【００７０】
図３１は，ダイエット選択時について，ダイエット食品の注文に至るまでの，サーバとユーザ端末の間の情報のやり取りを概念的に示している。サーバから「特質入力の画面データ」がユーザ端末に送信され，「ユーザの特質」がユーザ端末からサーバに送信されるところまでは，図３０での説明と同じである。サーバにおいて，ダイエット食品の使用が可能であると判断すると，「減量条件入力の画面データ」，すなわち図１９の減量目標入力画面のデータ，がサーバからユーザ端末に送信される。ユーザ端末では，減量目標入力画面においてユーザが減量目標を入力する。その減量目標がユーザ端末からサーバに送信される。そして，サーバでは，その減量目標と，サーバに格納してある減量データベースの中の減量情報とを比較した情報（減量比較情報）を作成して，その画面データをユーザ端末に送信する。この実施例では，「減量比較情報の画面データ」として，図２６のグラフ，図２７のグラフ，図３５の一覧表の各画面データを送信している。そのような減量比較情報をユーザが参照した上で，ユーザはダイエットの食品の注文を出し，その注文データがユーザ端末からサーバに送信される。
【図面の簡単な説明】
【００７１】
【図１】ダイエット食品の注文の全体の処理の流れを示すフローチャートである。
【図２】ダイエットメニューにおける健康状態の選択までの処理の流れを示すフローチャートである。
【図３】ダイエットメニューにおける病気の種類の選択の処理の流れと，アレルゲンの選択の処理の流れを示すフローチャートである。
【図４】ダイエットメニューにおける健康診断異常値の種類の選択の処理の流れと，アレルゲンに対する注意促進の選択の処理の流れを示すフローチャートである。
【図５】ダイエットメニューにおけるアレルゲンに対する使用制限の選択の処理の流れと，性別判定及び身体状態の選択の処理の流れを示すフローチャートである。
【図６】ダイエットメニューにおける減量目標の入力からライフスタイルの判定結果の表示までの処理の流れを示すフローチャートである。
【図７】栄養補給メニューにおける健康状態の選択までの処理の流れを示すフローチャートである。
【図８】栄養補給メニューにおける病気の種類の選択の処理の流れと，性別判定及び身体状態の選択の処理の流れを示すフローチャートである。
【図９】個人登録の画面と，目的選択の画面である。
【図１０】年令選択の画面と，健康状態の選択の画面である。
【図１１】使用不可の画面と，医師相談の画面である。
【図１２】アドバイスの画面である。
【図１３】但し書き表示の画面（虫歯）と，但し書き表示の画面（水虫）である。
【図１４】病気の種類の選択の画面と，アレルゲンの選択の画面である。
【図１５】使用制限の画面と，使用注意の画面である。
【図１６】乳アレルギーの注意促進の画面と，健康診断異常値の選択の画面である。
【図１７】血圧の選択の画面と，コレステロールの選択の画面である。
【図１８】血糖値の選択の画面と，女性の身体状態の選択の画面である。
【図１９】減量目標の入力画面である。
【図２０】ライフスタイルの申告選択の画面と，食生活の申告（１）の画面である。
【図２１】食生活の申告（２）の画面と，その他の申告の画面である。
【図２２】判定結果の表示画面と，注文画面である。
【図２３】使用可否データベースの内容の一部を示す一覧表である。
【図２４】使用可否データベースの内容の一部を示す一覧表である。
【図２５】ライフスタイル申告に基づくポイント計算方法を示す一覧表である。
【図２６】減量目標と減量成功事例との関係を示すグラフである。
【図２７】減量目標と減量成功事例との関係を示す別のグラフである。
【図２８】図２６のグラフを示す画面と，図２７のグラフを示す画面である。
【図２９】本発明の情報提供装置の概念図である。
【図３０】サーバとユーザ端末との間の情報のやり取りを示す線図である。
【図３１】サーバとユーザ端末との間の情報のやり取りを示す別の線図である。
【図３２】使用可否データベースの内容の一部を示す一覧表である。
【図３３】栄養補給メニューにおけるアレルゲン関連の処理の流れを示すフローチャートである。
【図３４】栄養補給メニューにおける確認画面である
【図３５】減量目標に対するダイエット食品の使用パターンの画面である。
【符号の説明】
【００７２】
１０  サーバ
１２  ユーザ端末
１４  インターネット
１６  減量データベース
１８  使用可否データベース
【図１】
2006301766.tif 000003
【図２】
2006301766.tif 000004
【図３】
2006301766.tif 000005
【図４】
2006301766.tif 000006
【図５】
2006301766.tif 000007
【図６】
2006301766.tif 000008
【図７】
2006301766.tif 000009
【図８】
2006301766.tif 000010
【図９】
2006301766.tif 000011
【図１０】
2006301766.tif 000012
【図１１】
2006301766.tif 000013
【図１２】
2006301766.tif 000014
【図１３】
2006301766.tif 000015
【図１４】
2006301766.tif 000016
【図１５】
2006301766.tif 000017
【図１６】
2006301766.tif 000018
【図１７】
2006301766.tif 000019
【図１８】
2006301766.tif 000020
【図１９】
2006301766.tif 000021
【図２０】
2006301766.tif 000022
【図２１】
2006301766.tif 000023
【図２２】
2006301766.tif 000024
【図２３】
2006301766.tif 000025
【図２４】
2006301766.tif 000026
【図２５】
2006301766.tif 000027
【図２６】
2006301766.tif 000028
【図２７】
2006301766.tif 000029
【図２８】
2006301766.tif 000030
【図２９】
2006301766.tif 000031
【図３０】
2006301766.tif 000032
【図３１】
2006301766.tif 000033
【図３２】
2006301766.tif 000034
【図３３】
2006301766.tif 000035
【図３４】
2006301766.tif 000036
【図３５】
2006301766.tif 000037